(57)【要約】【課題】比較的スリムな換気装置を提供する。【解決手段】換気装置１００は、長尺状の筐体１０と、筐体１０内に配置される熱交換素子２０と、筐体１０の長手方向において熱交換素子２０を挟むように筐体１０内に配置される第１ファンユニット３０および第２ファンユニット４０と、を備える。熱交換素子２０は、給気流路と、排気流路と、を含み、給気流路を通る空気と排気流路を通る空気との間で熱交換可能に構成される。筐体１０は、給気流路の下流側に設けられる第１室９１と、排気流路の上流側に設けられる第２室９２と、排気流路の下流側に設けられる第３室９３と、給気流路の上流側に設けられる第４室９４と、を含む。第１ファンユニット３０は、第１室９１と第２室９２とに跨って配置され、第２ファンユニット４０は、第３室９３と第４室９４とに跨って配置される。【選択図】図２
2018004161.tif 000002
【特許請求の範囲】
【請求項１】
長尺状の筐体と、
前記筐体内に配置される熱交換素子と、
前記筐体の長手方向において前記熱交換素子を挟むように前記筐体内に配置される第１、第２ファンユニットと、を備え、
前記熱交換素子は、屋外から吸い込まれる空気が通るべき流路の一部を構成する給気流路と、屋内から吸い込まれる空気が通るべき流路の一部を構成する排気流路と、を含み、前記給気流路を通る空気と前記排気流路を通る空気との間で熱交換可能に構成され、
前記筐体内には、前記給気流路の下流側に設けられる第１室と前記排気流路の上流側に設けられる第２室とを含む第１空間と、前記排気流路の下流側に設けられる第３室と前記給気流路の上流側に設けられる第４室とを含む第２空間と、が設けられ、
前記第１ファンユニットは、前記第１空間に配置され、
前記第２ファンユニットは、前記第２空間に配置され、
前記第１ファンユニットおよび前記第２ファンユニットの少なくとも一方は、２つの室に跨って配置されることを特徴とする換気装置。
【請求項２】
前記筐体は、壁に当接される背面部を含み、
前記第１ファンユニットは、第１ファンを含み、前記第１ファンの回転軸と、前記長手方向および前記背面部の法線方向に直交する方向とがなす鋭角が９０度以下になるよう配置され、
前記第２ファンユニットは、第２ファンを含み、前記第２ファンの回転軸と、前記長手方向および前記法線方向に直交する方向とがなす鋭角が９０度以下になるよう配置されることを特徴とする請求項１に記載の換気装置。
【請求項３】
前記第１ファンユニットは、前記第１ファンの回転軸が前記長手方向および前記法線方向に直交するよう配置され、
前記第２ファンユニットは、前記第２ファンの回転軸が前記長手方向および前記法線方向に直交するよう配置されることを特徴とする請求項２に記載の換気装置。
【請求項４】
前記筐体は、前記背面部に接続される第１側面部と、前記背面部に接続され、前記第１側面部と対向する第２側面部と、をさらに含み、
前記第１側面部は、前記第１室の空気を屋内に供給するための給気吹出口を有し、
前記第２側面部は、前記第２室に屋内の空気を吸い込むための排気吸込口を有し、
前記第１ファンユニットは、吸込口および吹出口が第１室に位置するよう前記第１室と前記第２室とに跨って配置され、
当該換気装置は、前記第１ファンユニットの吹出口と前記給気吹出口とを接続するダクトを備えることを特徴とする請求項２または３に記載の換気装置。
【発明の詳細な説明】
【技術分野】
【０００１】
本発明は、換気装置、特に熱交換素子を備える換気装置に関する。
【背景技術】
【０００２】
従来、熱交換素子を備える換気装置が知られている。この換気装置は、屋内空気との間で熱交換され、温度が調整された新鮮な屋外空気を供給する。従来では、例えば特許文献１に記載されるような熱交換素子が提案されている。
【先行技術文献】
【特許文献】
【０００３】
【特許文献１】特開２０１６−０４０５０１号公報
【発明の概要】
【発明が解決しようとする課題】
【０００４】
換気装置は、壁に取り付けられる。したがって、壁に備えつけられた窓の存在により、換気装置の設置場所の自由度が低い場合や、設置自体が困難な場合がある。したがって、設置場所の自由度を高めるため、または設置を可能にするため、換気装置にはスリム化が求められる。もちろん、こうした理由によらず、スリムであるに越したことはない。
【０００５】
本発明はこうした状況に鑑みてなされたものであり、その目的は、比較的スリムな換気装置を提供することにある。
【課題を解決するための手段】
【０００６】
上記課題を解決するために、本発明のある態様の換気装置は、長尺状の筐体と、筐体内に配置される熱交換素子と、筐体の長手方向において熱交換素子を挟むように筐体内に配置される第１、第２ファンユニットと、を備える。熱交換素子は、屋外から吸い込まれる空気が通るべき流路の一部を構成する給気流路と、屋内から吸い込まれる空気が通るべき流路の一部を構成する排気流路と、を含み、給気流路を通る空気と排気流路を通る空気との間で熱交換可能に構成され、筐体内には、給気流路の下流側に設けられる第１室と排気流路の上流側に設けられる第２室とを含む第１空間と、排気流路の下流側に設けられる第３室と給気流路の上流側に設けられる第４室とを含む第２空間と、が設けられ、第１ファンユニットは、第１空間に配置され、第２ファンユニットは、第２空間に配置され、第１ファンユニットおよび第２ファンユニットの少なくとも一方は、２つの室に跨って配置される。
【発明の効果】
【０００７】
本発明によれば、比較的スリムな換気装置を提供できる。
【図面の簡単な説明】
【０００８】
【図１】第１の実施の形態に係る換気装置の設置状態を示す図である。
【図２】図１の換気装置を示す斜視図である。
【図３】図３（ａ）〜（ｃ）はそれぞれ、図１の換気装置を示す上面図、正面図、下面図である。
【図４】図４（ａ）、（ｂ）は、第２の実施の形態に係る換気装置を示す図である。
【図５】図５（ａ）、（ｂ）は、第２の実施の形態に係る換気装置を示す図である。
【図６】図６（ａ）、（ｂ）は、図４の第２ファンケースの可動部を示す斜視図である。
【図７】変形例に係る換気装置を示す図である。
【図８】図８（ａ）、（ｂ）はそれぞれ、変形例に係る換気装置を示す図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（第１の実施の形態）
図１は、第１の実施の形態に係る換気装置１００の設置状態を示す図である。換気装置１００は、建物の屋内の壁面２に取り付けられ、建物の屋外と屋内との間で空気を給排気して換気する。図１では、換気装置１００は、窓４と天井６の間の壁面２に取り付けられている。
【００１１】
図２〜３は、換気装置１００を示す。図２は、換気装置１００の斜視図である。図３（ａ）〜（ｃ）はそれぞれ、換気装置１００の上面、正面図、下面図である。換気装置１００は、筐体１０と、熱交換素子２０と、第１ファンユニット３０と、第２ファンユニット４０と、第１仕切部材５０と、第２仕切部材６０と、ダクト７０と、を備える。
【００１２】
筐体１０は、長尺形状を有する。筐体１０は、本実施の形態では直方体の箱形状を有し、第１側面部１１と、第２側面部１２と、第３側面部１３と、第４側面部１４と、正面部１５と、背面部１６と、を含む。以下、筐体１０の長手方向をｘ方向、背面部１６の法線方向をｙ方向、ｘ方向およびｙ方向に直交する方向をｚ方向として説明する。
【００１３】
正面部１５は、ｘ方向に長い長尺形状を有する。背面部１６は、ｘ方向に長い長尺形状を有し、正面部１５と対向する。背面部１６は、換気装置１００が建物の壁面に取り付けられるときに壁面と当接する。背面部１６には、給排気口１６ａが形成されている。換気装置１００は、この給排気口１６ａが、壁面に形成された給排気のための壁穴と対向するよう取り付けられる。
【００１４】
給排気口１６ａは、本実施の形態では、円形状に形成されている。給排気口１６ａは、第２仕切部材６０により給気吸込口１６ｂと排気吹出口１６ｃとに仕切られている。給気吸込口１６ｂから屋外の空気が取り込まれる。排気吹出口１６ｃから、排気吸込口１２ａ（後述）から筐体１０内に取り込まれた室内空気であって後述するように熱交換素子２０で熱交換された空気が屋外に排出される。
【００１５】
第１側面部１１は、ｘ方向に長い長尺形状を有し、正面部１５および背面部１６に接続される。第１側面部１１には、給気吸込口１６ｂから筐体１０内に取り込まれ、後述するように熱交換素子２０で熱交換された空気を屋内に供給するための給気吹出口１１ａが形成されている。給気吹出口１１ａは、本実施の形態では、正面部１５側の端部に形成されている。
【００１６】
第２側面部１２は、ｘ方向に長い長尺形状を有し、第１側面部１１と対向するように正面部１５および背面部１６に接続される。第２側面部１２には、筐体１０内に屋内（室内）空気を取り込むための排気吸込口１２ａが形成されている。排気吸込口１２ａは、本実施の形態では、正面部１５側の端部に形成されている。
【００１７】
熱交換素子２０は、筐体１０内に配置され、屋外から吸い込まれた空気と、屋内から吸い込まれた空気とで熱交換させる。熱交換素子２０は、本実施の形態では、六角柱形状を有する。熱交換素子２０は、複数枚の六角形の伝熱シートをスペーサを介して間隔を空けながらｙ方向に積層して形成される。伝熱シートは、例えば紙などの透湿性を有する素材により形成される。複数の伝熱シートの間には、屋外から吸い込まれる空気が通るべき流路の一部を構成する給気流路と、屋内から吸い込まれる空気が通るべき流路の一部を構成する排気流路とがｙ方向に交互に形成される。
【００１８】
熱交換素子２０は、そのｚ方向の幅が、筐体１０内の収容空間のｚ方向の幅と同じかそれより僅かに（例えば１０〜２０ｍｍ）短くなるよう形成される。逆に言うと、筐体１０がその収容空間のｚ方向の幅が、熱交換素子２０のｚ方向の幅と同じかそれより僅かに長くなるよう形成される。
【００１９】
第１仕切部材５０は、熱交換素子２０とｘ方向に隣接するよう筐体１０内の第１空間８１に配置される。第１空間８１は、熱交換素子２０とｘ方向に隣接する筐体１０内の空間である。第１仕切部材５０は、本実施の形態では板状の部材であり、その２つの主面がそれぞれ第１側面部１１、第２側面部１２に対向するよう配置される。第１空間８１は、第１仕切部材５０により、第１側面部１１側の第１室９１と第２側面部１２側の第２室９２とに仕切られる。第１室９１は、給気流路の下流側に設けられ、給気流路の出口２１ｂに通じる。第２室９２は、排気流路の上流側に設けられ、排気流路の入口２２ａに通じる。
【００２０】
第２仕切部材６０は、熱交換素子２０とｘ方向に隣接するよう筐体１０内の第２空間８２に配置される。第２空間８２は、熱交換素子２０とｘ方向に隣接する筐体１０内の空間であって、ｘ方向において熱交換素子２０に対して第１空間８１とは反対側に位置する空間である。第２仕切部材６０は、本実施の形態では板状の部材であり、その２つの主面がそれぞれ第１側面部１１、第２側面部１２に対向するよう筐体１０内に配置される。第２空間８２は、第２仕切部材６０により、第１側面部１１側の第３室９３と第２側面部１２側の第４室９４とに仕切られる。第３室９３は、排気流路の下流側に設けられ、排気流路の出口２２ｂに通じる。第４室９４は、給気流路の上流側に設けられ、給気流路の入口２１ａに通じる。また上述したように、給排気口１６ａは、この第２仕切部材６０により給気吸込口１６ｂと排気吹出口１６ｃとに仕切られる。
【００２１】
第１ファンユニット３０は、第１空間８１に収容される。第１ファンユニット３０は、第１ファンケース３１と、第１ファン３２と、第１モータ３３と、を含む。第１ファンケース３１は、巻き貝状のケースである。第１ファン３２は、例えば、シロッコファンなどの遠心送風機である。第１ファン３２は、第１ファンケース３１に収容される。第１モータ３３は、第１ファンケース３１に固定され、そのモータ軸（不図示）が第１ファンケース３１に進入して第１ファン３２に取り付けられている。第１モータ３３が駆動して第１ファン３２が回転すると、吸込口３１ａから空気が吸い込まれ、吹出口３１ｂから吹き出される。
【００２２】
第１ファンユニット３０は、第１ファンケース３１が第１仕切部材５０に載置された状態で第１仕切部材５０に固定される。第１ファンユニット３０は、第１ファン３２の回転軸Ｒとｚ方向とがなす鋭角が９０度以下になるよう配置される。好ましくは、第１ファンユニット３０は、第１ファン３２の回転軸Ｒとｚ方向とがなす鋭角が４５度以下になるよう配置される。なお、第１ファン３２の回転軸Ｒとｚ方向とがなす鋭角は小さいほど好ましく、図３（ｂ）では、第１ファンユニット３０は、第１ファン３２の回転軸Ｒとｚ方向とがなす鋭角が０度になるよう、すなわち第１ファン３２の回転軸Ｒとｚ方向とが平行となるよう配置されている。
【００２３】
また、第１ファンユニット３０は、第１室９１と第２室９２とに跨って配置される。具体的には、第１ファンユニット３０は、第１ファンケース３１の少なくとも一部（および第１ファン３２の少なくとも一部）が第１室９１に位置し、第１モータ３３の少なくとも一部が第２室９２に位置するように配置される。図３（ｂ）では、第１ファンケース３１の全体が第１室９１に位置し、第１仕切部材５０に形成された挿通孔５０ａから第１モータ３３が第２室９２に進入して第１モータ３３の全体が第２室９２に位置する場合が示されている。
【００２４】
さらにまた、第１ファンユニット３０は、本実施の形態では、第１ファンケース３１の少なくとも一部が熱交換素子２０供気流路の出口２１ｂとｘ方向において対向し、第１モータ３３の少なくとも一部が熱交換素子２０排気流路の入口２２ａとｘ方向において対向するよう配置される。図３（ｂ）では、第１ファンケース３１が供気流路の出口２１ｂおよび排気流路の入口２２ａとｘ方向において対向し、第１モータ３３が排気流路の入口２２ａとｘ方向において対向する場合が示されている。
【００２５】
第２ファンユニット４０は、筐体１０内の第２空間８２に収容される。第２ファンユニット４０は、第２ファンケース４１と、第２ファン４２と、第２モータ４３と、を含む。第２ファンケース４１、第２ファン４２、第２モータ４３はそれぞれ、第１ファンケース３１、第１ファン３２、第１モータ３３と同様に構成される。
【００２６】
第２ファンユニット４０は、第２ファンケース４１が第２仕切部材６０に載置された状態で第２仕切部材６０に固定される。第２ファンユニット４０は、第２ファン４２の回転軸Ｒとｚ方向とがなす鋭角が９０度以下になるよう配置される。好ましくは、第２ファンユニット４０は、第２ファン４２の回転軸Ｒとｚ方向とがなす鋭角が４５度以下になるよう配置される。なお、第２ファン４２の回転軸Ｒとｚ方向とがなす鋭角は小さいほど好ましく、図３（ｂ）では、第２ファンユニット４０は、第２ファン４２の回転軸Ｒとｚ方向とがなす鋭角が０度になるよう、すなわち第２ファン４２の回転軸Ｒとｚ方向とが平行となるよう配置されている。
【００２７】
また、第２ファンユニット４０は、第３室９３と第４室９４とに跨って配置される。具体的には、第２ファンユニット４０は、第２ファンケース４１の少なくとも一部（および第２ファン４２の少なくとも一部）が第３室９３に位置し、第２モータ４３の少なくとも一部が第４室９４に位置するように配置される。図３（ｂ）では、第２ファンケース４１の全体が第３室９３に位置し、第２仕切部材６０に形成された挿通孔６０ａから第２モータ４３の全体が第４室９４に進入して第２モータ４３の全体が第４室９４に位置する場合が示されている。
【００２８】
さらにまた、第２ファンユニット４０は、本実施の形態では、第２ファンケース４１の少なくとも一部が熱交換素子２０の排気流路の出口２２ｂとｘ方向において対向し、第２モータ４３の少なくとも一部が熱交換素子２０の給気流路の入口２１ａとｘ方向において対向するよう配置される。図３（ｂ）では、第２ファンケース４１が排気流路の出口２２ｂおよび給気流路の入口２１ａとｘ方向において対向し、第２モータ４３の全体が給気流路の入口２１ａとｘ方向において対向する場合が示されている。
【００２９】
ダクト７０は、第１ファンケース３１の吹出口３１ｂから第１側面部１１の給気吹出口１１ａに伸びるダクトである。ダクト７０により、第１ファンケース３１と、筐体１０の外の屋内空間とが連通される。
【００３０】
以上のように構成された換気装置１００の動作を説明する。
不図示の制御装置に制御されて第１ファンユニット３０および第２ファンユニット４０が駆動する。第１ファンユニット３０が駆動することにより、背面部１６の給気吸込口１６ｂから第４室９４に屋外の空気が吸い込まれ、熱交換素子２０の給気流路を通って第１室９１に流れ込み、吸込口３１ａから第１ファンケース３１に吸い込まれる。第１ファンケース３１に吸い込まれた空気は吹出口３１ｂから吹き出され、ダクト７０を通って第１側面部１１の給気吹出口１１ａから屋内に吹き出される。また、第２ファンユニット４０が駆動することにより、第２側面部１２の排気吸込口１２ａから第２室９２に屋内の空気が吸い込まれ、熱交換素子２０の排気流路を通って第３室に流れ込み、吸込口４１ａから第２ファンケース４１に吸い込まれる。第２ファンケース４１に吸い込まれた空気は吹出口４１ｂから吹き出され、排気吹出口１６ｃから屋外に吹き出される。
【００３１】
このとき、熱交換素子２０の給気流路を通る空気と、熱交換素子２０の排気流路を通る空気とで熱交換される。これにより、屋外から流入する空気の温度が屋内の空気の温度に近くなる。
【００３２】
以上説明した換気装置１００によると、第１ファンユニット３０および第２ファンユニット４０は、ｘ方向に熱交換素子２０を挟み込むように配置される。そして、各ファンユニットは、ファンの回転軸がｚ方向を向き、かつ、ファンケースおよびファンが第１室９１または第３室９３に位置し、モータが第２室９２または第４室９４に位置した状態で配置される。これにより、例えば、ファンユニットがファンの回転軸がｘ方向を向くように配置された場合や、ファンユニットの全体が第１室９１または第３室９３に位置する場合に比べて、ｚ方向の換気装置１００の幅を短くできる。
【００３３】
また、換気装置１００によると、第２側面部１２に形成された排気吸込口１２ａから屋内の空気が第２室９２に吸い込まれる。また、ダクト７０を介して、第１側面部１１（第２側面部１２と対向する側面部）に形成された給気吹出口１１ａから屋内に空気が吹き出される。すなわち、屋内の空気の出入口が対向する側面部に形成されているため、ショートサーキットが生じるのが抑止される。また、出入口が対向する側面部に形成されているため、換気装置１００が設置されている部屋全体の空気が循環する。
【００３４】
（第２の実施の形態）
図４、５は、第２の実施の形態に係る換気装置２００を示す。図４（ａ）、（ｂ）は、第２空間８２とその周辺を、背面部１６側から見た斜視図である。図４（ａ）は第２ファンユニット１４０が取り付けられた状態を示し、図４（ｂ）は第２ファンユニット１４０が取り外された状態を示す。図５は、ｘｙ平面に平行な平面であって、第２ファンユニット１４０の第２ファン４２を通る平面で切断した断面図である。図６（ａ）、（ｂ）はそれぞれ、第２ファンケース１４１の可動部１４４を別々の方向から見た斜視図である。
【００３５】
換気装置１００との違いに焦点を当てる。換気装置２００は、第２ファンユニット４０の代わりに第２ファンユニット１４０を備える。また、換気装置２００では、背面部１６に第１給排気口１１６ａが形成され、第４側面部１４に第２給排気口１１４ａが形成されている。つまり、換気装置２００は、２つの給排気口を有する。
【００３６】
第１給排気口１１６ａは、本実施の形態では、矩形状に形成されている。第１給排気口１１６ａは、第２仕切部材６０により第１給気吸込口１１６ｂと第１排気吹出口１１６ｃとに仕切られている。第１給気吸込口１１６ｂ、第１排気吹出口１１６ｃはそれぞれ、第１の実施の形態の給気吸込口１６ｂ、排気吹出口１６ｃに対応する。
【００３７】
第２給排気口１１４ａは、本実施の形態では、矩形状に形成されている。第２給排気口１１４ａは、第２仕切部材６０により第２給気吸込口１１４ｂと第２排気吹出口１１４ｃとに仕切られている。第２給気吸込口１１４ｂ、第２排気吹出口１１４ｃはそれぞれ、第１の実施の形態の給気吸込口１６ｂ、排気吹出口１６ｃに対応する。
【００３８】
第２ファンユニット１４０は、第２ファンケース１４１と、第２ファン４２と、第２モータ４３と、を含む。第２ファンケース１４１は、本体部１４６と２つの張出部１４７とを有する可動部１４４と、固定部１４５と、を含む。
【００３９】
本体部１４６は、側面を形成する筒部１４６ａと、筒部１４６ａの一端を塞ぐ底部１４６ｂと、筒部１４６ａの他端を塞ぐ蓋部１４６ｃとを有する筒状体であり、第２ファン４２を収容する。本体部１４６は、筒部１４６ａの周方向に回転可能に構成される。筒部１４６ａは、円筒状の外周面を有し、その径方向の厚みが周方向（図５では時計回り）に進むにつれて厚くなるよう形成される。また、筒部１４６ａには、径方向の厚みが最も厚い部分と薄い部分との間に吹出口（開口）１４６ｄが形成されている。第２モータ４３が駆動して第２ファン４２が回転すると、蓋部１４６ｃに形成された吸込口１４６ｅから空気が吸い込まれ、吹出口１４６ｄから吹き出される。
【００４０】
２つの張出部は、吹出口１４６ｄの両サイドから筒部１４６ａの軸方向と平行に張り出す。２つの張出部１４７は、円弧状の板状に形成される。張出部１４７は、後述するように、使用しない給排気口を筒部１４６ａとともに塞ぐ。
【００４１】
固定部１４５は、第２仕切部材６０に固定される。固定部１４５は、第１ダクト部１４５ａと、第２ダクト部１４５ｂとを含む。第１ダクト部１４５ａは、筒部１４６ａの吹出口１４６ｄが第１排気吹出口１１６ｃとｙ方向で対向しているときに吹出口１４６ｄと第１排気吹出口１１６ｃとを接続する（連通させる）。この場合、吹出口１４６ｄから吹き出された空気は、第１ダクト部１４５ａを通って第１排気吹出口１１６ｃから屋外に排出される。第２ダクト部１４５ｂは、筒部１４６ａの吹出口１４６ｄが第２排気吹出口１１４ｃとｘ方向で対向しているときに吹出口１４６ｄと第２排気吹出口１１４ｃとを接続する（連通させる）。この場合、吹出口１４６ｄから吹き出された空気は、第２ダクト部１４５ｂを通って第２排気吹出口１１４ｃから屋外に排出される。
【００４２】
筒部１４６ａの吹出口１４６ｄが第１排気吹出口１１６ｃと接続されているときには、筒部１４６ａにより第２排気吹出口１１４ｃが塞がれ、張出部１４７により第２給気吸込口１１４ｂが塞がれる。一方、筒部１４６ａの吹出口１４６ｄが第２排気吹出口１１４ｃと接続されているときには、筒部１４６ａにより第１排気吹出口１１６ｃが塞がれ、張出部１４７により第１給気吸込口１１６ｂが塞がれる。
【００４３】
本実施の形態に係る換気装置２００によると、使用する給排気口を第１給排気口１１６ａまたは第２給排気口１１４ａに切り替えることができる。例えば、換気装置２００を設置する作業者が、換気装置２００を設置する際に使用する給排気口を切り替えることができる。これにより、第１給排気口１１６ａと壁穴とが対向するよう換気装置２００を壁面に取り付けることができないときには、すなわち第１給排気口１１６ａを壁穴と接続できないときには、第２給排気口１１４ａを給排気口としてとして使用し、第２給排気口１１４ａからダクトを延ばして壁穴と接続できる。したがって、第１給排気口１１６ａしかない場合に設置できない建物にも、換気装置２００を設置することが可能となる。また、換気装置２００の設置自由度が向上する。壁穴を後から形成しにくいマンションリフォームでは特に有効である。一方で、第１給排気口１１６ａと壁穴とが対向するよう換気装置２００を壁面に取り付けることができるときには、第１給排気口１１６ａを給排気口として使用できるため、壁穴に延ばすダクトが不要になり、屋内の良好な美観を維持できる。
【００４４】
また、本実施の形態に係る換気装置２００によると、第２ファンケース１４１の可動部１４４を回転させて、その吹出口１４６ｄが第１排気吹出口１１６ｃと対向している位置と第２排気吹出口１１４ｃと対向している位置とで切り替えることにより、使用する給排気口を切り替えることができる。つまり、特別な工具やスキルがなくても、使用する給排気口を切り替えることができる。
【００４５】
また、本実施の形態に係る換気装置２００によると、固定部１４５すなわちダクト部を回転させることなく、可動部１４４を回転させることにより、使用する給排気口を切り替えることができる。したがって、可動部１４４に加えてダクト部も回転させる場合と比べて必要なスペースが小さくて済む。これにより、筐体１０ひいては換気装置１００のスリム化を実現できる。
【００４６】
以上、実施の形態に係る換気装置の構成と動作ついて説明した。これらの実施の形態は例示であり、各構成要素の組み合わせにいろいろな変形例が可能なこと、またそうした変形例も本発明の範囲にあることは当業者に理解されるところである。
【００４７】
（変形例１）
第１〜２の実施の形態では、第１ファンユニット３０および第２ファンユニット４０がいずれも２つの室に跨って配置される場合について説明したが、これに限られず、第１ファンユニット３０および第２ファンユニット４０の少なくとも一方が２つの室に跨って配置されてもよい。
【００４８】
図７は、変形例に係る換気装置３００を示す。換気装置３００では、第１ファンユニット３０は２つの室には跨らず、第１室９１にだけ位置するように配置される。一方、第２ファンユニット４０は、第２室９２および第３室９３の２つの室に跨るように配置される。なお、第１ファンユニット３０が２つの室に跨るように配置され、第２ファンユニット４０が２つの室には跨らず、１つの室にだけ位置するように配置されてもよい。本変形例によれば、少なくとも部分的に、ｚ方向の換気装置３００の幅を短くできる。
【００４９】
（変形例２）
第１〜２の実施の形態では、熱交換素子が六角柱形状を有する場合について説明したが、これに限られず、熱交換素子は様々な形状をとり得る。図８（ａ）、（ｂ）はそれぞれ、変形例に係る換気装置４００、換気装置５００を示す。
【００５０】
図８（ａ）に示される換気装置４００では、熱交換素子２０は四角柱形状を有する。熱交換素子２０は、複数枚の四角形（菱形）の伝熱シートをスペーサを介して間隔を空けながらｙ方向に積層して形成される。
【００５１】
図８（ｂ）に示される換気装置５００では、熱交換素子２０は直方体形状を有する。熱交換素子２０は、複数枚の長方形の伝熱シートをスペーサを介して間隔を空けながらｙ方向に積層して形成される。
【００５２】
これらの変形例によると、実施の形態に係る換気装置によって奏される作用効果と同様の作用効果が奏される。
【００５３】
（変形例３）
第１〜２の実施の形態では特に言及しなかったが、第１ファンケース３１および第１ファン３２が第１室９１に配置され、第１モータ３３が第１室９１および第２室９２に跨がって配置されてもよい。あるいはまた、第１ファンケース３１および第１ファン３２が第１室９１および第２室９２に跨がって配置され、第１モータ３３が第２室９２に配置されてもよい。なお、後者の場合、少なくとも第１ファンケース３１の吸込口３１ａは第１室９１に位置する必要がある。第２ファンケースについても同様である。
【００５４】
（変形例４）
第１〜２の実施の形態では、換気装置がダクト７０を備える場合について説明したが、これに限られない。換気装置がダクト７０を備えない構成も考えられる。この場合、第１側面部１１の代わりに第３側面部１３に給気吹出口が形成され、第１ファンユニット３０は、第１ファンケース３１の吹出口３１ｂが第３側面部１３に形成された給気吹出口と対向するよう配置されればよい。
【００５５】
（変形例５）
第２の実施の形態では、第２ファンケース１４１の可動部を回転することにより、使用する給排気口を切り替える場合について説明したが、これに限られない。
【００５６】
例えば、換気装置は、第２ファンユニット１４０の代わりに第２ファンユニット４０を備え、第２ファンユニット４０全体を回転することにより、使用する給排気口を切り替えてもよい。
【００５７】
また例えば、換気装置は、第２ファンユニット１４０の代わりに第２ファンユニット４０を備え、さらに、第２ファンユニット４０の第２ファンケース４１の吹出口４１ｂと給排気口とを接続するフレキシブルなホースを備えてもよい。この場合、ホースの接続先を第１給排気口１１６ａと第２給排気口１１４ａとで切り替えることにより、使用する給排気口を切り替えてもよい。
【００５８】
（変形例６）
第２の実施の形態では、筐体１０に第１給排気口１１６ａと第２給排気口１１４ａの２つの給排気口が形成される場合について説明したが、これに限られず、３つ以上の給排気口が形成されてもよい。例えば、第１給排気口１１６ａ、第２給排気口１１４ａに加えて、正面部１５に第３給排気口が形成され、第２ファンユニット１４０の固定部１４５が、第１ダクト部１４５ａ、第２ダクト部１４５ｂに加えて、第３ダクト部を含んでもよい。第３ダクト部は、筒部１４６ａの吹出口１４６ｄが第３給排気口の第３排気吹出口とｙ方向で対向しているときに吹出口１４６ｄと第３排気吹出口とを接続させる（連通させる）。
【００５９】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００６０】
以上の記載から、下記の発明が認識される。
本発明のある態様の換気装置は、長尺状の筐体と、筐体内に配置される熱交換素子と、筐体の長手方向において熱交換素子を挟むように筐体内に配置される第１、第２ファンユニットと、を備える。熱交換素子は、屋外から吸い込まれる空気が通るべき流路の一部を構成する給気流路と、屋内から吸い込まれる空気が通るべき流路の一部を構成する排気流路と、を含み、給気流路を通る空気と排気流路を通る空気との間で熱交換可能に構成され、筐体内には、給気流路の下流側に設けられる第１室と排気流路の上流側に設けられる第２室とを含む第１空間と、排気流路の下流側に設けられる第３室と給気流路の上流側に設けられる第４室とを含む第２空間と、が設けられ、第１ファンユニットは、第１空間に配置され、第２ファンユニットは、第２空間に配置され、第１ファンユニットおよび第２ファンユニットの少なくとも一方は、２つの室に跨って配置される。
【００６１】
この態様によると、ファンユニットが２つの部屋に跨って配置されるため、そうでない場合と比べて各部屋を小さくでき、その結果、筐体ひいては換気装置をスリム化できる。
【００６２】
筐体は、壁に当接される背面部を含んでもよい。第１ファンユニットは、第１ファンを含み、第１ファンの回転軸と、長手方向および背面部の法線方向に直交する方向とがなす鋭角が９０度以下になるよう配置され、第２ファンユニットは、第２ファンを含み、第２ファンの回転軸と、長手方向および法線方向に直交する方向とがなす鋭角が９０度以下になるよう配置されてもよい。
【００６３】
第１ファンユニットは、第１ファンの回転軸が長手方向および法線方向に直交するよう配置され、第２ファンユニットは、第２ファンの回転軸が長手方向および法線方向に直交するよう配置されてもよい。
【００６４】
ファンユニットは、通常、ファンの回転軸の方向における幅が、ファンの回転軸に直交する方向における幅よりも小さいため、上述のようにファンユニットが配置されることにより、換気装置をスリム化できる。
【００６５】
筐体は、背面部に接続される第１側面部と、背面部に接続され、第１側面部と対向する第２側面部と、をさらに含んでもよい。第１側面部は、第１室の空気を屋内に供給するための給気吹出口を有してもよい。第２側面部は、第２室に屋内の空気を吸い込むための排気吸込口を有してもよい。第１ファンユニットは、吸込口および吹出口が第１室に位置するよう第１室と第２室とに跨って配置され、当該換気装置は、第１ファンユニットの吹出口と給気吹出口とを接続するダクトを備えてもよい。この場合、ショートサーキットが生じるのが抑止される。また、換気装置１００が設置されている部屋全体の空気が循環する。
【符号の説明】
【００６６】
１０  筐体、  ２０  熱交換素子、  ３０  第１ファンユニット、  ３２  第１ファン、  ４０  第２ファンユニット、  ４２  第２ファン、  ９１  第１室、  ９２  第２室、  ９３  第３室、  ９４  第４室、  １００  換気装置。
【図１】
2018004161.tif 000003
【図２】
2018004161.tif 000004
【図３】
2018004161.tif 000005
【図４】
2018004161.tif 000006
【図５】
2018004161.tif 000007
【図６】
2018004161.tif 000008
【図７】
2018004161.tif 000009
【図８】
2018004161.tif 000010